(57)【要約】【課題】表面側から見たときの面積が互いに同一である前後２枚の平板状透明アクリル樹脂板の間に、表面側から見たときの面積が当該前後２枚のアクリル樹脂板の面積より小さい装飾シートが介装されている状態で前記２枚のアクリル樹脂板同士が透明な光硬化性接着剤によって密着され、前記２枚のアクリル樹脂板の間に装飾シートが封止されている置物。完成品になったときに、表板と裏板との接着部を示す線が置物の外周に残らず、あたかも一体物の透明板状体の中に写真などの装飾シートが封入されているように認識できる、美観に優れた置物を提供する。【解決手段】装飾シートの厚みが置物の厚みの０．０１〜０．５％で、装飾シートの外周縁と、前後２枚の平板状透明アクリル樹脂板の外周縁との間に形成される余白部の面積が、表面側から見たときの前後２枚の平板状透明アクリル樹脂板の面積の２５〜３５％である。【選択図】図５
2010125717.tif 000002
【特許請求の範囲】
【請求項１】
表面側から見たときの面積が互いに同一である前後２枚の平板状透明アクリル樹脂板の間に、表面側から見たときの面積が当該前後２枚の平板状透明アクリル樹脂板の面積より小さい装飾シートが介装されている状態で前記前後２枚の平板状透明アクリル樹脂板同士が透明な光硬化性接着剤によって密着され、前記前後２枚の平板状透明アクリル樹脂板の間に前記装飾シートが封止されている置物であって、
前記装飾シートの厚みが、前記置物の厚みの０．０１〜０．５％で、
前記装飾シートの外周縁と、前記前後２枚の平板状透明アクリル樹脂板の外周縁との間に形成される余白部の面積が、表面側から見たときの前記前後２枚の平板状透明アクリル樹脂板の面積の２５〜３５％である
ことを特徴とする置物。
【請求項２】
前記装飾シートの中心が前記前後２枚の平板状透明アクリル樹脂板の中心に重なる位置で前記装飾シートが前記前後２枚の平板状透明アクリル樹脂板の間に封止されていることを特徴とする請求項１記載の置物。
【請求項３】
前記置物を表面側から見たときに、封止されている前記装飾シートの左右両側に存在して縦方向に延びる左右の余白部の面積が、前記装飾シートの左右両側で互いに同一であることを特徴とする請求項２記載の置物。
【請求項４】
前記置物を表面側から見たときに、封止されている前記装飾シートの上下両側に存在して横方向に延びる上下の余白部の面積が、前記装飾シートの上下両側で互いに同一であることを特徴とする請求項２又は３記載の置物。
【発明の詳細な説明】
【技術分野】
【０００１】
この発明は、透明な部材の中に装飾シートが封止されている置物に関し、特に、前後２枚の平板状で透明な板体の間に装飾シートが封止されている置物に関する。
【背景技術】
【０００２】
透明な部材の中に装飾シートが封止されている置物に関しては従来から多数の提案が行なわれている。
【０００３】
例えば、表面側から見たときの面積が互いに同一な平板状で透明な表板と裏板であって、裏板の方が表板よりも薄い表板と裏板との間に、表面側から見たときの面積が当該表板及び裏板の面積より小さい装飾シートが介装されている状態で前記表板と裏板同士が透明な光硬化性接着剤によって密着され、前記平板状で透明な表板と裏板との間に前記装飾シートが封止されている置物が提案されている（特許文献１）。
【特許文献１】特開２００７−２７６３６８号公報
【発明の開示】
【発明が解決しようとする課題】
【０００４】
特許文献１記載の発明は、封止する装飾シートに品質劣化を生じさせることなく、容易に製造することができ、しかも美観に優れた置物を提供することを目的として提案されたものであった。
【０００５】
本願の発明者が特許文献１で提案されているような、表面側から見たときの面積が互いに同一な平板状で透明な表板と裏板との間に、表面側から見たときの面積が当該表板及び裏板の面積より小さい装飾シートが介装されている状態で前記表板と裏板同士が透明な光硬化性接着剤によって密着され、前記平板状で透明な表板と裏板との間に前記装飾シートが封止されている置物について検討したところ、透明な表板と裏板との間に装飾シートを封止すべく透明な光硬化性接着剤を使用して表板と裏板同士を密着させているにもかかわらず、置物の外周に表板と裏板との接着部を示す線が視認できる状態になってしまうことがあった。
【０００６】
透明な表板と裏板とを使用し、この間に封止した装飾シートを目視することができ、美観に優れたものとするべく、透明な光硬化性接着剤を使用しているにもかかわらず、完成したときに、表板と裏板との接着部を示す線が置物の外周に目視で認識できる状態で存在することは美観を損ねるものとなって好ましくない。
【０００７】
そこで、本発明は、表面側から見たときの面積が互いに同一な平板状で透明な表板と裏板との間に、表面側から見たときの面積が当該表板及び裏板の面積より小さい装飾シートが介装されている状態で前記表板・裏板同士が透明な光硬化性接着剤によって密着され、前記平板状で透明な表板と裏板との間に前記装飾シートが封止されている置物において、完成品になったときに、表板と裏板との接着部を示す線が置物の外周に残らず、あたかも一体物の透明板状体の中に、写真などの装飾シートが封入されているように認識できる、美観に優れた置物を提供することを目的にしている。
【課題を解決するための手段】
【０００８】
前記の目的を達成するため、この発明が提案する置物は次の通りのものである。
【０００９】
請求項１記載の発明は、
表面側から見たときの面積が互いに同一である前後２枚の平板状透明アクリル樹脂板の間に、表面側から見たときの面積が当該前後２枚の平板状透明アクリル樹脂板の面積より小さい装飾シートが介装されている状態で前記前後２枚の平板状透明アクリル樹脂板同士が透明な光硬化性接着剤によって密着され、前記前後２枚の平板状透明アクリル樹脂板の間に前記装飾シートが封止されている置物であって、
前記装飾シートの厚みが、前記置物の厚みの０．０１〜０．５％で、
前記装飾シートの外周縁と、前記前後２枚の平板状透明アクリル樹脂板の外周縁との間に形成される余白部の面積が、表面側から見たときの前記前後２枚の平板状透明アクリル樹脂板の面積の２５〜３５％である
ことを特徴とする置物である。
【００１０】
請求項２記載の発明は、
前記装飾シートの中心が前記前後２枚の平板状透明アクリル樹脂板の中心に重なる位置で前記装飾シートが前記前後２枚の平板状透明アクリル樹脂板の間に封止されていることを特徴とする請求項１記載の置物である。
【００１１】
請求項３記載の発明は、
前記置物を表面側から見たときに、封止されている前記装飾シートの左右両側に存在して縦方向に延びる左右の余白部の面積が、前記装飾シートの左右両側で互いに同一であることを特徴とする請求項２記載の置物である。
【００１２】
請求項４記載の発明は、
前記置物を表面側から見たときに、封止されている前記装飾シートの上下両側に存在して横方向に延びる上下の余白部の面積が、前記装飾シートの上下両側で互いに同一であることを特徴とする請求項２又は３記載の置物である。
【発明の効果】
【００１３】
この発明によれば、表面側から見たときの面積が互いに同一な平板状で透明な表板と裏板との間に、表面側から見たときの面積が当該表板及び裏板の面積より小さい装飾シートが介装されている状態で前記表板・裏板同士が透明な光硬化性接着剤によって密着され、前記平板状で透明な表板と裏板との間に前記装飾シートが封止されている置物において、完成品になったときに、表板と裏板との接着部を示す線が置物の外周に残らず、あたかも一体物の透明板状体の中に、写真などの装飾シートが封入されているように認識できる、美観に優れた置物を提供することができる。
【発明を実施するための最良の形態】
【００１４】
以下、添付図面を参照して本発明の好ましい実施形態を説明する。
【００１５】
図５に例示する本発明の置物１は、表面側から見たときの面積が互いに同一である前後２枚の平板状で透明なアクリル樹脂板２、３の間に、表面側から見たときの面積が前後２枚のアクリル樹脂板２、３の面積より小さい装飾シート４が介装されている状態で前後２枚のアクリル樹脂板２、３同士が透明な光硬化性接着剤によって密着され、前後２枚の平板状で透明なアクリル樹脂板２、３の間に装飾シート４が封止されているものである。
【００１６】
図５に例示する本発明の置物１は、例えば、次のようにして製造することができる。
【００１７】
ポリオレフィン製の粘着シートを表面に層着することにより表面がマスキング処理されている水平な台５の上に、平板状で透明なアクリル樹脂板３ａを置き、その上に、両面テープ６などにより装飾シート４を接着する（図２（ａ））。
【００１８】
台５の表面のマスキング処理は、後述する光硬化性接着剤７が台５の表面に接触する場合があることを考慮したものであり、ポリオレフィン製の粘着シートに限らず、他の合成樹脂製シートを用いることもできる。
【００１９】
両面テープ６を用いて装飾シート４をアクリル樹脂板３ａの表面に接着するのは以降の作業の間に位置ずれが生じることを防止する目的で行なうものであり、接着剤を用いて両者の接着を行なう方法にすることもできる。
【００２０】
次に、透明な光硬化性接着剤７を装飾シート４及び、アクリル樹脂板３ａの表面に均一に広げる（図２（ｂ））。この際、台５が水平を維持していないと光硬化性接着剤７が均一に広がらなくなるので注意を要する。
【００２１】
次に、平板状で透明なアクリル樹脂板２ａを、光硬化性接着剤７が塗布されている装飾シート４及びアクリル樹脂板３ａの表面に気泡を巻き込まないようにゆっくりと重ね合わせる（図２（ｃ））。この際、アクリル樹脂板２ａの自重を利用すると光硬化性接着剤７を均一に薄く拡げることができて有利である。
【００２２】
次に、光硬化性接着剤７の硬化に適した照明ランプを用いて、装飾シート４及びアクリル樹脂板３ａの表面側と、アクリル樹脂板２ａの下面側との間の接着面に光硬化性接着剤７の硬化に適した光を照射する（図３）。このとき、接着面の全体が均一に光照射されるように、複数の照明ランプ８ａ、８ｂ、８ｃを用い、隣接する各照明ランプ８ａ、８ｂ、８ｃの間の間隔、アクリル樹脂板２ａの表面（上面）と、照明ランプ８ａ、８ｂ、８ｃとの間の間隔などを適宜設定する。
【００２３】
こうして、平板状で透明なアクリル樹脂板３ａ、２ａの間に装飾シート４が介装されている状態でアクリル樹脂板３ａ、２ａ同士が透明な光硬化性接着剤７によって密着され、平板状で透明なアクリル樹脂板３ａ、２ａの間に装飾シート４が封止されたならば、周縁部２０ａ、２０ｂ、２０ｃ、２０ｄを切除する（図４）。
【００２４】
周縁部２０ａ、２０ｂ、２０ｃ、２０ｄは、図４図示のように、下側の透明なアクリル樹脂板部分３ｂ、３ｃ、３ｄ、３ｅの上に、上側の透明なアクリル樹脂板部分２ｂ、２ｃ、２ｄ、２ｅが透明な光硬化性接着剤７によって密着されているものである。
【００２５】
これによって、図５（ａ）のように表面側から見たときの面積が互いに同一である前後２枚の平板状の透明なアクリル樹脂板２、３の間に、表面側から見たときの面積が当該アクリル樹脂板２、３の面積より小さい装飾シート４が介装されている状態でアクリル樹脂板２、３同士が透明な光硬化性接着剤７によって密着され、平板状の透明なアクリル樹脂板２、３の間に装飾シート４が封止されている本発明の置物１（図５）を得ることができる。
【００２６】
装飾シート４としては印画紙などに焼き付けられた写真や、他のものに焼き付けられた写真、あるいは、写真・絵・書・文字などが記載されている紙製や、合成樹脂製などのシートを使用することができる。
【００２７】
本発明の置物１においては、装飾シート４の厚みと、置物１の厚み（Ｄ）（図５（ｂ））との間の関係及び、装飾シート４の外周縁１４ａ、１４ｂ、１４ｃ、１４ｄと、アクリル樹脂板２、３の外周縁（図５（ａ）では、外周縁１２ａ、１２ｂ、１２ｃ、１２ｄ）との間に形成される余白部１１ａ、１１ｂ、１１ｃ、１１ｄの面積と、表面側から見たときのアクリル樹脂板２、３の面積との関係が重要な意義を有する。
【００２８】
発明者が実験したところによれば、透明な光硬化性接着剤を使用した場合であっても、完成品になった置物の外周に、図３において符号９で示す、装飾シート４及びアクリル樹脂板３の表面側と、アクリル樹脂板２の下面側との間の接着部を示す線が残ることがあった。また、装飾シートの外周縁と、置物の外周縁との間の余白部に、硬化した光硬化性接着剤の色が目視により認められる、等して、２枚のアクリル樹脂板同士が接着され、両者の間に装飾シートが封止されている、と認識できてしまう状態になることがあった。
【００２９】
このようになってしまった場合には、表面側の透明アクリル樹脂板と、背面側の透明アクリル樹脂板とが接着され、両者の間に装飾シートが封止されていることを目視で把握できるようになってしまうため、美観を損ない、置物の商品としての価値も低いものにならざるを得なかった。
【００３０】
本願の発明者は、このような状態が発生することを防止するべく鋭意研究したところ、装飾シート４の厚みと、置物１の厚み（Ｄ）（図５（ｂ））との間の関係及び、装飾シート４の外周縁１４ａ、１４ｂ、１４ｃ、１４ｄと、アクリル樹脂板２、３の外周縁（図５（ａ）では、外周縁１２ａ、１２ｂ、１２ｃ、１２ｄ）との間に形成される余白部１１ａ、１１ｂ、１１ｃ、１１ｄの面積と、表面側から見たときのアクリル樹脂板２、３の面積との間の関係を特定の範囲におさめることによって、前述した事態が生じることを防止でき、あたかも一体物の透明板状体の中に、写真などの装飾シートが封止されているように認識できる、美観に優れた、商品価値も高い置物を提供できることを見出したのである。
【００３１】
発明者の実験によれば、好ましい関係は、印画紙などに焼き付けられた写真や、他のものに焼き付けられた写真、あるいは、写真・絵・書・文字などが記載されている紙製や、合成樹脂製などのシートからなる装飾シート４の厚みが、置物１の厚み（Ｄ）（図５（ｂ））の０．０１〜０．５％であり、この際、装飾シート４の外周縁１４ａ、１４ｂ、１４ｃ、１４ｄと、アクリル樹脂板２、３の外周縁（図５（ａ）では、外周縁１２ａ、１２ｂ、１２ｃ、１２ｄ）との間に形成される余白部１１ａ、１１ｂ、１１ｃ、１１ｄの面積が、表面側から見たときのアクリル樹脂板２、３の面積の２５〜３５％であった。
【００３２】
これらの関係を保つようにした上で、図２〜図４を用いて前記で説明したようにして本発明の置物１を製造すれば、図４、図５（ｂ）に示すように、図３において符号９で示されていた、装飾シート４及びアクリル樹脂板３の表面側と、アクリル樹脂板２の下面側との間の接着部を示す線は、置物１の外周に残らず、また、目視によって、アクリル樹脂板２、３の接合状況を把握することもできず、あたかも一体物の透明板状体の中に、写真などの装飾シート４が封止されているように認識できる美観に優れた置物１を製造することができる。
【００３３】
なお、平板状で透明なアクリル樹脂板２、３それぞれの厚さの関係が、アクリル樹脂板２、３の厚さが両者同一である場合、どちらか一方が他方より厚い場合のいずれであっても、装飾シート４の厚みと、置物１の厚み（Ｄ）との関係が前述した範囲であり、余白部１１ａ、１１ｂ、１１ｃ、１１ｄの面積と、アクリル樹脂板２、３の面積との関係が前述した範囲にあれば、置物１の外周に、図３において符号９で示す、装飾シート４及びアクリル樹脂板３の表面側と、アクリル樹脂板２の下面側との間の接着部を示す線が残ることはなく、あたかも一体物の透明板状体の中に、写真などの装飾シート４が封止されているように認識できる美観に優れた置物１を製造できる。
【００３４】
また、前述した装飾シート４の外周縁１４ａ、１４ｂ、１４ｃ、１４ｄと、アクリル樹脂板２、３の外周縁（図５（ａ）では、外周縁１２ａ、１２ｂ、１２ｃ、１２ｄ）との間に形成される余白部１１ａ、１１ｂ、１１ｃ、１１ｄの面積と、表面側から見たときのアクリル樹脂板２、３の面積との関係を確保する上で、図２（ａ）の工程で、平板状で透明なアクリル樹脂板３ａの上に、両面テープ６などにより装飾シート４を接着する際及び、図４図示のように周縁部２０ａ、２０ｂ、２０ｃ、２０ｄを切除する際に、図５図示の最終製品である置物１としたときに、装飾シート４の中心がアクリル樹脂板２、３の中心に重なる位置になるようにすると共に、最終製品である置物１を図５（ａ）のように表面側から見たときに、封止されている装飾シート４の左右両側に存在して縦方向に延びる左右の余白部１１ａ、１１ｃ（図５（ａ））の面積が、装飾シート４の左右両側で互いに同一で、なおかつ、表面側から見たときに、封止されている装飾シート４の上下両側に存在して横方向に延びる上下の余白部の１１ｂ、１１ｄ（図５（ａ））の面積が、装飾シート４の上下両側で互いに同一になるように配慮することが望ましい。
【００３５】
以上、本発明の好ましい実施形態を添付図面を参照して説明したが、本発明はかかる実施形態に限定されるものではなく、特許請求の範囲の記載から把握される技術的範囲において種々の形態に変更可能である。
【図面の簡単な説明】
【００３６】
【図１】本発明の置物の一例を分解して説明した斜視図。
【図２】（ａ）、（ｂ）、（ｃ）は、本発明の置物の製造工程の一例を説明する斜視図。
【図３】本発明の置物の製造工程の一例を説明する斜視図であって、光照射によって透明な光硬化性接着剤を硬化させて２枚のアクリル樹脂板同士を接着し、接着された２枚のアクリル樹脂板の間に装飾シートを封止する工程を説明する図。
【図４】装飾シートが接着された２枚のアクリル樹脂板の間に封止された後、周縁部を切除して本発明の置物とする工程を説明する斜視図。
【図５】（ａ）本発明の置物の一例を正面から見た図、（ｂ）本発明の置物の一例を斜め上方向から見た図。
【符号の説明】
【００３７】
１  置物
２、３  平板状で透明なアクリル樹脂板
４  装飾シート
７  透明な光硬化性接着剤
Ｄ  置物の厚み
１４ａ、１４ｂ、１４ｃ、１４ｄ  装飾シートの外周縁
１２ａ、１２ｂ、１２ｃ、１２ｄ  表側のアクリル樹脂板の外周縁
１１ａ、１１ｂ、１１ｃ、１１ｄ  余白部
【図１】
2010125717.tif 000003
【図２】
2010125717.tif 000004
【図３】
2010125717.tif 000005
【図４】
2010125717.tif 000006
【図５】
2010125717.tif 000007